(57)【要約】【課題】  録音された音を操作音として設定することが可能な撮影装置を提供することを目的とする。【解決手段】  マイクを用いて音を集音する（Ｓ１）。集音された音はＡ／Ｄ変換部でデジタルデータに変換される（Ｓ２）。変換されたデジタルデータはエンコーダで符号化される（Ｓ３）。符号化されたデジタルデータをメモリカードに記憶する、つまり録音する場合（Ｓ４ｙｅｓ）該データに対し任意の名前が設定される（Ｓ６）。データに設定された任意の名前に対して撮影装置の所定の動作を設定し（Ｓ７）この内容はＳＤＲＡＭに記憶される。メモリカードに記憶された内容及びＳＤＲＡＭに記憶された内容に基いて、録音された音に対して撮影装置の動作を対応づける（Ｓ８）。【選択図】  図２
2005079859.tif 000002
【特許請求の範囲】
【請求項１】
所定の操作を行う時に使用される操作部と音を集音する集音部とを具備する本体と、
前記集音部を用いて集音された音を記憶する記憶部と、
前記記憶部に記憶された音と前記所定の操作とを対応づける対応づけ手段と、
前記操作部が前記対応づけ手段によって対応付けられた前記所定の操作をされることで、前記対応付け手段によって対応付けられた前記記憶された音を再生する再生手段と、
を具備することを特徴とする撮影装置。
【請求項２】
所定の操作を行う時に使用される操作部と音を集音する集音部とを具備する本体と、
前記集音部を用いて集音された音を記憶する記憶部と、
前記記憶部に記憶された音に対して任意の名前を設定する設定手段と、
前記設定手段によって設定された前記任意の名前と前記所定の操作とを対応づける第１の対応づけ手段と、
前記任意の名前を用いて、前記設定手段によって前記任意の名前が設定された前記記憶された音と前記第１の対応づけ手段によって前記任意の名前に対応づけられた前記所定の操作とを対応づける第２の対応づけ手段と、
前記操作部が前記第２の対応づけ手段によって対応付けられた所定の操作をされることで、前記第２の対応付け手段によって対応付けられた前記記憶された音を再生する再生手段と、
を具備することを特徴とする撮影装置。
【請求項３】
所定の操作を行う時に使用される操作部と音を集音する集音部とを具備する本体と、
前記所定の操作と対応づけられているとともに、前記所定の操作を行うことで再生される音に対して予め設定されている名前と、
前記集音部を用いて集音された音を記憶する記憶部と、
前記記憶部に記憶された音に対して前記予め設定されている名前を設定する設定手段と、
前記操作部が前記予め設定されている名前と対応づけられている前記所定の操作をされたとき、前記所定の操作と対応づけられている前記予め設定されている名前を参照し、前記参照された前記予め設定されている名前を用いて、前記設定手段によって前記予め設定されている名前が設定された前記記憶された音を再生する再生手段と、
を具備することを特徴とする撮影装置。
【請求項４】
前記記憶部は、前記本体に対し着脱可能であることを特徴とする請求項１乃至３記載の撮影装置。
【請求項５】
前記所定の操作は、本撮影装置の起動操作又はシャッター操作であることを特徴とする請求項１乃至３記載の撮影装置。
【請求項６】
情報を表示する表示部と、
前記所定の操作を行った時刻から所定の時間が経過した後に集音部をオンにする手段と、
前記集音部をオンにする手段によって集音部がオンになるまでの時間を前記表示部に表示する手段と、
を具備することを特徴とする請求項１乃至請求項３記載の撮影装置。
【発明の詳細な説明】
【技術分野】
【０００１】
本発明は、撮影装置に関し、特に音声を録音する機能を具備する撮影装置に関する。
【背景技術】
【０００２】
従来より、音声を録音し、該録音された音声を使用する撮影装置があった。以下に、録音された音声を使用する撮影装置に関する先行技術を挙げる。
【０００３】
第１の先行技術として、静止画像を取り込むカメラ装置と、音声パッセージを取り込む音声記録装置と、静止画像を静止画像ファイルとして、また音声パッセージを音声パッセージファイルとして保存するメモリと、１つ以上の静止画像ファイルを１つ以上の音声パッセージファイルに選択的にリンクしてリンクグループを形成し、かつリンクグループから１つ以上のファイルを選択的にアンリンクするユーザインターフェイスと、を備えるデジタルカメラがあった（特許文献１参照。）。
【特許文献１】特表２０００−５３７６９１号公報（第７頁、第１図）
【発明の開示】
【発明が解決しようとする課題】
【０００４】
しかしながら、上述の特許文献１で開示された発明における録音された音声の使用内容は、録音された音声を静止画像にリンクづける、という内容である。この録音された音声の使用内容は、ユーザが見ている静止画像に対して録音された音声を付加するという付属的な使用内容であり、録音した音を主体として使用する内容ではない。
【０００５】
そこで、本発明は、録音された音を主体として使用する発明であり、録音された音を操作音として設定することが可能な撮影装置を提供することを目的とする。
【課題を解決するための手段】
【０００６】
上記目的を達成するために、請求項１に係る発明では、所定の操作を行う時に使用される操作部と音を集音する集音部とを具備する本体と、集音部を用いて集音された音を記憶する記憶部と、記憶部に記憶された音と所定の操作とを対応づける対応づけ手段と、操作部を所定の操作することで、所定の操作に対応づけられた記憶された音を再生する再生手段とを具備することを特徴とする。
【発明の効果】
【０００７】
本発明によれば、所定の操作を行うと録音された音を再生することが可能となる。
【発明を実施するための最良の形態】
【０００８】
以下本発明に係る実施の形態を、図面を参照して説明する。
【０００９】
図１は、本発明に係るハードウェアブロックを示す図である。
【００１０】
撮影装置１は、マイク１０とＡ／Ｄ変換部１１とエンコーダ１２とメモリカード１３とＳＤＲＡＭ１４とフラッシュメモリ１５とデコーダ１６とＤ／Ａ変換部１７とスピーカ１８とを具備する。
【００１１】
マイク１０は、外部の音を集音する集音部の役割りを果たす。Ａ／Ｄ変換部１１は、マイク１０を用いて集音される音に基いて生成されるアナログデータを、デジタルデータへと変換する（変換されたデジタルデータを、以下、デジタル音データと称す。）。エンコーダ１２は、デジタル音データを、一定の規則に従って符号化する。符号化されたデジタル音データ（以下、符号化音データと称す。）は、メモリカード１３に記憶される、つまり録音される。このメモリカード１３は、撮影装置１と着脱可能である。
【００１２】
このＳＤＲＡＭ１４には、基本的なシステムプログラム、実行対象のアプリケーションプログラム及び処理データ等が格納される。メモリカードに記憶される符号化音データは、ＳＤＲＡＭ１４に記憶される。フラッシュメモリ１５は、電気的に書換え可能なメモリである。このフラッシュメモリ１５上に記憶される情報は、電力供給がなされていない状態においても、消去されることは無い。フラッシュメモリ１５には、撮影装置１を構成するハードウェアの制御等を行う基本的なシステムプログラム、実行対象のアプリケーションプログラム、処理されたデータ等が記憶されており、これら記憶されている情報は、適時、ＳＤＲＡＭ１４に転送される。
【００１３】
デコーダ１６はメモリカード１３又はＳＤＲＡＮ１４に記憶されている符号化音データをデジタル音データに復号化する。Ｄ／Ａ変換部１１は復号化されたデジタル音データをアナログデータへ変換する。スピーカはアナログデータを音に変換する。
【００１４】
次に、図２乃至図６を用いて、集音した音をメモリカード１３に記憶する手順を説明する。
【００１５】
図２は、集音した音をメモリカードに記憶する手順を示すフローチャートである。
【００１６】
マイク１０を用いて音を集音する（ステップ  Ｓ１）。集音された音はＡ／Ｄ変換部１１でデジタルデータに変換される（ステップ  Ｓ２）。このデジタル音データはエンコーダ１２で符号化される（ステップ  Ｓ３）。符号化音データをメモリカード１３に記憶する場合（ステップ  Ｓ４  ｙｅｓ）、メモリカード１３に記憶される符号化音データに、任意の名前を設定するか否かを選択する（ステップ  Ｓ５）。符号化音データをメモリカード１３に記憶しない場合（ステップ  Ｓ４  ｎｏ）、集音された音は撮影装置１に取り込まれないことになる。
【００１７】
撮影装置１のユーザが、メモリカード１３に記憶される符号化音データに任意の名前を設定する場合（ステップ  Ｓ５  ｙｅｓ）を、図３及び図４を用いて説明する。
【００１８】
図３は、メモリカードに記憶される音に対し任意の名前を設定する設定画面を示す図である。
【００１９】
撮影装置１の背面に表示パネル２を設ける。この表示パネル２には、メモリカード１３に記憶される音に任意の名前を設定する際に使用される設定画面が表示される。表示パネル２に表示される表を用いて、「メモリカード１３に記憶された音」に対して「音の名前」を設定する。
【００２０】
対応付け方の一例を以下に説明する。撮影装置１がメモリカード１３に記憶した音として「サンプル音１」と「サンプル音２」と「サンプル音３」とを具備している場合、表示パネル２に表示される表において列項目名が「記憶された音」である列に、「サンプル音１」、「サンプル音２」、「サンプル音３」と表示される。撮影装置１のユーザが、例えば、サンプル音３がブーイングを示す音であるために、サンプル音３に対して「ブーイング」という名前を設定したい場合、列項目名「記憶された音」と対応づけられている列項目名「音の名前」の列に「ブーイング」と設定する。上述した方法に従って、撮影装置１のユーザは、メモリカード１３に記憶された音に対して、任意の名前を設定することが可能である。また、メモリカード１３に記憶された音に対して、任意の名前を設定することによって、撮影装置１のユーザは、メモリカード１３に記憶された音の内容等を容易に認識することが可能となる。
【００２１】
図４は、メモリカードに記憶されるテーブルを示す第１の図である。
【００２２】
図３を用いて説明した、記憶された音及び該記憶された音に対して設定された音の任意の名前はメモリカード１３にテーブル１３１として記憶される。このメモリカード１３は、撮影装置１に対して着脱可能なカードであるので、撮影装置１からメモリカード１を取り外して、このメモリカード１３を装着させるために設けられるメモリカードスロットを具備する電子機器に装着させることが可能である。従って、撮影装置１を用いてメモリカード１３に記憶された音は、メモリカードスロットを具備する、撮影装置１以外の電子機器においてでも使用することが可能である。再び、図２に示されるフローチャートを用いて、集音した音をメモリカード１３に記憶する手順を説明する。
【００２３】
ユーザによって設定された音の任意の名前に対して撮影装置１の所定の動作を設定する（ステップ  Ｓ７）。この設定の仕方を、図５を用いて説明する。
【００２４】
図５は、記憶された音に対して設定された名前に、撮影装置の所定の動作を設定する設定画面を示す図である。
【００２５】
撮影装置１の背面に設けられる表示パネル２には、音の任意の名前に対して撮影装置１の所定の動作を設定する際に使用される設定画面が表示される。表示パネル２に表示される表を用いて、「撮影装置の動作」に対して「音の名前」を設定する。
【００２６】
対応付け方の一例を以下に説明する。撮影装置１の所定の動作として「起動動作」と「シャッター動作」と「その他の動作」との３つの動作がある場合、表示パネル２に表示される表において列項目名が「動作」である列に「起動動作」、「シャッター動作」、「その他の動作」と表示される。撮影装置１のユーザが、例えば、撮影装置１が起動する時に拍手の音を鳴らせたい場合、つまり、撮影装置１の起動動作に対して「拍手の音」を設定したい場合、列項目名「動作」と対応づけられている列項目名「音の名前」の列に「拍手」と設定する。この設定画面を用いて設定された内容はＳＤＲＡＭ１４に記憶される。上述した方法に従って、撮影装置１のユーザは、音の任意の名前に対して撮影装置１の所定の動作を設定することが可能である。
【００２７】
図２のフローチャートにおける、ユーザによって設定された音の任意の名前に対して撮影装置１の所定の動作を設定した後（ステップ  Ｓ７）、撮影装置１の所定の実行することで、メモリカード１３に記憶された音を再生させるために使用されるテーブルがＳＤＲＡＮ１４上に作成される（ステップ  Ｓ８）。このテーブルの作成方法を、図６を用いて説明する。
【００２８】
図６は、メモリカード１３に記憶された音を再生させるために使用されるテーブル及び該テーブルを作成するために必要なテーブルを示す図である。
【００２９】
メモリカード１３には、記憶された音に対して音の任意の名前を設定した内容であるテーブル１３１が記憶され、ＳＤＲＡＭ１４には、設定された音の任意の名前に対し撮影装置１の所定の動作を設定した内容であるテーブル１４１が記憶されている。これらテーブル１３１及びテーブル１４１に共通する列項目名である「音の名前」をキーにして、テーブル１３１とテーブル１４１とが統合されることで、ＳＤＲＡＭ１４に列項目名「音の名前」に「記憶された音」と「動作」とが対応づけられたテーブル１４２が作成される。再び、図２に示されるフローチャートを用いて、集音した音をメモリカード１３に記憶する手順を説明する。
【００３０】
撮影装置１のユーザが、メモリカード１３に記憶される符号化音データに、音の任意の名前を設定しない場合（ステップ  Ｓ５  ｎｏ）、該符号化音データにはデフォルト名が設定される（ステップ  Ｓ９）。メモリカード１３に記憶される符号化音データに、デフォルト名を設定する方法は、後述をもって詳細に説明する。
【００３１】
次に、図７に示されるフローチャートを用いて、撮影装置の所定の動作と対応付けられている音を再生する手順を説明する。
【００３２】
撮影装置１の所定の動作、例えば、撮影装置１を起動するといった動作が行われる（ステップ  Ｓ１０）。撮影装置１の所定の動作が行われた後、ＳＤＲＡＭ１４上に作成されたテーブル１４２を参照する（ステップ  Ｓ１１）。テーブル１４２の列項目名「動作」に対応づけられている列項目名「記憶された音」を選択する。例えば、所定の動作が撮影装置１の「起動動作」であるならば、符号化されている「サンプル音１」が選択される（図６のテーブル１４２参照）（ステップ  Ｓ１２）。選択された符号化音データはデコーダ１５に送信され、デコーダ１５によって、符号化音データをデジタル音データに復号化する（ステップ  Ｓ１３）。Ｄ／Ａ変換部１１はデジタル音データをアナログデータへ変換する（ステップ  Ｓ１４）。スピーカはアナログデータを音に変換する（ステップ  Ｓ１５）。このようにして、撮影装置１の所定の操作を行うことで、メモリカード１３に記憶されている所定の音を再生することが可能となる。
【００３３】
メモリカード１３に記憶された音に対し、任意の音の名前と撮影装置１の所定の動作とを設定することで、ユーザが撮影装置１の所定の動作を実行する時に、メモリカード１３に記憶された音を再生することが可能となる。従って、メモリカード１３にユーザ好みの音を記憶させ、前述の設定操作を行うことで、撮影装置１の所定の動作を実行した際、ユーザ好みの音を再生させることが可能となり、撮影装置１のカスタム性を高められる、つまり、ユーザの個性を撮影装置１に反映させることが可能となる。
【００３４】
次に、図２のフローチャートにおけるステップＳ９で説明される処理内容である、メモリカード１３に記憶される符号化音データに任意の名前を設定しない場合、該符号化音データにデフォルト名を設定する方法を、図８及び図９を用いて説明する。
【００３５】
図８は、メモリカードに記憶される音に対しデフォルト名を設定する設定画面を示す図である。
【００３６】
撮影装置１の背面に設けられる表示パネル２には、メモリカード１３に記憶される音にデフォルト名を設定する際に使用される設定画面が表示される。このデフォルト名とは、以下に説明する名前である。撮影装置１の所定の動作には、予め（撮影装置１の出荷時より）動作音が設定されており、この動作音に、予め音の名前が設定されている。この予め設定されている音の名前のことを音のデフォルト名と呼ぶ。例えば、撮影装置１の起動動作時に再生される音が予め設定されており、この音に対して、例えばｋｉｄｏｕ．ａｖｉといった音のデフォルト名が予め設定されている。表示パネル２に表示される表を用いて、「メモリカード１３に記憶された音」に対して「音のデフォルト名」を設定する。
【００３７】
対応付け方の一例を以下に説明する。撮影装置１がメモリカード１３に記憶した音として「サンプル音１」と「サンプル音２」と「サンプル音３」とを具備している場合、表示パネル２に表示される表において列項目名が「記憶された音」である列に、「サンプル音１」、「サンプル音２」、「サンプル音３」と表示される。撮影装置１のユーザが、例えば、撮影装置１の起動時にサンプル音３を再生させたい場合、列項目名「集音された音」と対応づけられている列項目名「音の名前」の列に、「ｋｉｄｏｕ．ａｖｉ」と設定する。上述した方法に従って、撮影装置１のユーザは、メモリカード１３に記憶された音に対して、デフォルト名を設定することが可能である。
【００３８】
図９は、メモリカードに記憶されるテーブルを示す図である。
【００３９】
図３を用いて説明した、記憶された音及び該記憶された音に対して設定された音のデフォルト名はメモリカード１３にテーブル１３２として記憶される。このメモリカード１３は、撮影装置１に対して着脱可能なカードであるので、撮影装置１からメモリカード１を取り外して、このメモリカード１３を装着させるために設けられるメモリカードスロットを具備する電子機器に装着させることが可能である。従って、撮影装置１を用いてメモリカード１３に記憶された音は、メモリカードスロットを具備する、撮影装置１以外の電子機器において使用することが可能である。
【００４０】
図１０は、撮影装置の所定の動作と対応付けられた音を再生する手順を説明するフローチャートである。図１１は、フラッシュメモリ１５に記憶されているテーブルをＳＤＲＡＭ１４に転送することを示す図である。
【００４１】
図１０及び図１１を用いて、撮影装置の所定の動作と対応付けられた音を再生する手順を説明する。
【００４２】
撮影装置１の所定の動作、例えば、撮影装置１を起動するといった動作を行う（ステップ  Ｓ１６）。所定の動作が行われた後、ＳＤＲＡＭ１４上に作成されたテーブルが参照される（ステップ  Ｓ１７）。ここで、図１１を用いて、この参照されるテーブルを説明する。
【００４３】
フラッシュメモリ１５には、列項目名「音の名前」に列項目名「動作音」と列項目名「動作」とが対応づけられたテーブル１５１が記憶されている。例えば、撮影装置１の「起動動作」時に再生される音の「起動動作音」に対して、「ｋｉｄｏｕ．ａｖｉ」というデフォルト名がつけられている。このテーブル１５１は、所定のタイミングでＳＤＲＡＭ１４に転送される。所定のタイミングとは、例えば、撮影装置１の電源オン時などである。フラッシュメモリ１５からＳＤＲＡＭ１４に転送されたテーブル１５１は、ＳＤＲＡＭ１４にテーブル１４３として記憶される。再び、図１０に示されるフローチャートを用いて、撮影装置１の所定の動作と対応付けられた音を再生する手順を説明する。
【００４４】
ＳＤＲＡＭ１４に記憶されているテーブル１４３の列項目名「動作」に対応づけられている列項目名「音の名前」を選択する。例えば、所定の動作が撮影装置１の起動動作であるならば、音の名前の「ｋｉｄｏｕ．ａｖｉ」が選択される（図１１のテーブル１４３参照。）（ステップ  Ｓ１８）。その後、メモリカード１３に記憶されているテーブル１３２を参照する。その際、ステップＳ１８の処理で選択された列項目名「音の名前」をキーにして、テーブル１３２において、列項目名「音の名前」と対応づけられている列項目名「記憶された音」を選択する。例えば、音のデフォルト名が「ｋｉｄｏｕ．ａｖｉ」であるならば、符号化されているサンプル音１が選択される（図９のテーブル１３２を参照。）（ステップ  Ｓ１９）。
【００４５】
選択された符号化音データはデコーダ１５に送信され、デコーダ１５によって、符号化音データをデジタル音データに復号化する（ステップ  Ｓ２０）。Ｄ／Ａ変換部１１は復号化されたデジタル音データをアナログデータへ変換する（ステップ  Ｓ２１）。スピーカはアナログデータを音に変換する（ステップ  Ｓ２２）。このようにして、撮影装置１の所定の操作を行うことで、メモリカード１３に記憶されている所定の音を再生することが可能となる。
【００４６】
メモリカード１３に記憶された音に対し、デフォルトの音の名前を設定することで、該記憶された音に対して撮影装置１の所定の動作を設定せずに、ユーザが撮影装置１の所定の動作を実行する時に、メモリカード１３に記憶された音を再生することが可能となる。従って、メモリカード１３にユーザ好みの音を記憶させ、前述の設定操作を行うことで、撮影装置１の所定の動作を実行した際、ユーザ好みの音を再生させることが可能となり、撮影装置１のカスタム性を高められる、つまり、ユーザの個性を撮影装置１に反映させることが可能となる。
【００４７】
図１２は、集音が開始されるまでのカウントダウン表示を示す図である。
【００４８】
本発明に係る撮影装置１で音の集音を開始する場合、音の集音を開始させる操作をした後、すぐに集音を開始するのではなく、音の集音を開始させる操作をした時刻から所定の時間を経過した後にマイク１０をオンにする。さらに、音の集音を開始させる操作をした後、音の集音を開始するまでの時間を、表示パネル２に表示させる。ユーザはこの表示を見て、音の集音開始までの時間を知ることが可能である。
【００４９】
本発明ではその主旨を逸脱しない範囲であれば、上記の実施形態に限定されるものではない。そして、本発明は、着脱可能なメモリを具備し、該メモリに集音された音を記憶させる電子機器に広く適用可能である。
【図面の簡単な説明】
【００５０】
【図１】本発明に係るハードウェアブロックを示す図。
【図２】集音した音をメモリカードに記憶する手順を示すフローチャート。
【図３】メモリカードに記憶される音に任意の名前を設定する設定画面を示す図。
【図４】メモリカードに記憶されるテーブルを示す第１の図。
【図５】記憶された音に対して設定された名前に、撮影装置の所定の動作を設定する設定画面を示す図。
【図６】メモリカードに記憶された音を再生させるために使用されるテーブル及び該テーブルを作成するために必要なテーブルを示す図。
【図７】撮影装置の所定の動作と対応付けられている音を再生する手順を示すフローチャート。
【図８】メモリカードに記憶される音に対しデフォルト名を設定する設定画面を示す図。
【図９】メモリカードに記憶されるテーブルを示す第２の図。
【図１０】撮影装置の所定の動作と対応付けられた音を再生する手順を説明するフローチャート。
【図１１】フラッシュメモリに記憶されているテーブルをＳＤＲＡＭに転送することを示す図。
【図１２】集音が開始されるまでのカウントダウン表示を示す図。
【符号の説明】
【００５１】
１…撮影装置、２…表示パネル、１０…マイク、１１…Ａ／Ｄ変換部、
１２…エンコーダ、１３…メモリカード、１４…ＳＤＲＡＭ、
１５…フラッシュメモリ、１６…デコーダ、１７…Ｄ／Ａ変換部、
１８…スピーカ、
【図１】
2005079859.tif 000003
【図２】
2005079859.tif 000004
【図３】
2005079859.tif 000005
【図４】
2005079859.tif 000006
【図５】
2005079859.tif 000007
【図６】
2005079859.tif 000008
【図７】
2005079859.tif 000009
【図８】
2005079859.tif 000010
【図９】
2005079859.tif 000011
【図１０】
2005079859.tif 000012
【図１１】
2005079859.tif 000013
【図１２】
2005079859.tif 000014